(57)【特許請求の範囲】
【請求項１】
遠距離通信及びデータ技術における接続又は分離ブロック用の接地バスであって、保護プラグの挿入チャンネル内に挿入することのできる挿入舌状片を、配線する２重芯線の数に基づいて配置した基部と、少なくとも１個の接地接点であって、この接地接点を通じて前記接地バスを接地することのできる接地接点とを具えた接地バスにおいて、
前記挿入舌状片（１０）を弾性的な構成とすることを特徴とする接地バス。
【請求項２】
前記挿入舌状片（１０）をフォーク状接点として構成した請求項１に記載の接地バス。
【請求項３】
前記挿入舌状片（１０）に下向きの湾曲部（１６）を形成した請求項１又は２に記載の接地バス。
【請求項４】
前記挿入舌状片（１０）の湾曲部（１７）を前記基部（８）から離れた側で上向きに角度をつけた請求項１乃至３のいずれか一項に記載の接地バス。
【請求項５】
前記挿入舌状片（１０）の接点ポイント（１８）を平面状の形態、又は円弧のセグメントの形態に構成した請求項１乃至４のいずれか一項に記載の接地パス。
【請求項６】
前記接地接点（１２）をフォーク状接点として構成した請求項１乃至５のいずれか一項に記載の接地バス。
【請求項７】
前記フォーク状接点（１２）は、接続又は分離ブロック（１）の接地接点（７）に接続することができる請求項６に記載の接地バス。
【請求項８】
遠距離通信及びデータ技術における接続又は分離ブロックの用の、請求項１乃至７のいずれか一項に記載した接地バスに使用する保護プラグであって、内部に機能素子を配置したハウジングと、接地バスの挿入舌状片を収容するための挿入チャンネルと、嵌合状態で前記挿入舌状片と電気的に接続できる少なくとも１個の接地接点（１９）と、挿入部とを有する保護プラグにおいて、
前記接地接点（１９）を前記保護プラグのハウジング内に機械的に剛固に取付けたことを特徴とする保護プラグ。
【請求項９】
機能素子（２９〜３１）及び接地接点（１９）をプリント回路基板（２５）上に設けた請求項８に記載の保護プラグ。
【請求項１０】
前記機能素子（２９〜３１）を前記プリント回路基板（２５）の上側面に設け、前記接地接点（１９）を前記プリント回路基板（２５）の下側面に設けた請求項９に記載の保護プラグ。
【請求項１１】
前記接地接点（１９）を接点領域において方体小片又は円筒体形状として形成した請求項８乃至１０のいずれか一項に記載の保護プラグ。
【請求項１２】
プリント回路基板（２５）用の支持ポイント（２８）はハウジングの内部及びハウジング上に存在する構成とした請求項９乃至１１のいずれか一項に記載の保護プラグ。
【請求項１３】
前記ハウジング２部分構成、即ち、機能素子部分（２９〜３１）を主として収容して比較的大きな設置領域を画成する第１ハウジング部分（１３）と、挿入チャンネル（３５）が形成されており且つ前記プリント回路基板（２５）の下側面に設けた接地接点（１９）を収容する第２ハウジング部分（１４）とによる構成とした請求項１０乃至１２のいずれか一項に記載の保護プラグ。
【請求項１４】
前記２個のハウジング部分（１３，１４）は、互いに係止することができる構成とした請求項１３に記載の保護プラグ。
【請求項１５】
少なくとも１個の測定及び分離ポイント（２７）を前記ハウジング内に設け、前記挿入部（１５）の反対側で外部から前記測定及び分離ポイント（２７）に対してアクセスできるようにした請求項８乃至１４のいずれか一項に記載の保護プラグ。
【発明の詳細な説明】
【０００１】
本発明は、遠距離通信及びデータ技術における接続又は分離ブロック用の接地バス及び保護プラグに関するものである。
【０００２】
ドイツ国特許第38 13 889 C1号明細書は、ハウジングを有する少なくとも１個の挿入可能な保護プラグによる遠距離通信技術用の接続又は分離ブロックを開示しており、この保護プラグのハウジング内に、少なくとも１個のサージアレスタを設け、各サージアレスタは、保護プラグの挿入後に、ハウジング内に設けかつ挿入舌状片を有する細条状の導電接点部材による一方の端子と、取付ラグに固定した接地バスによる他方の端子とにより電気的に導通し、接地バスは接続又は分離ブロックの長手方向側面に平行に設けてある。この接地バスは、各保護プラグのための挿入舌状片を有する。接続又は分離ブロック内への挿入方向と平行に、保護プラグのハウジングは挿入チャンネルを有し、この挿入チャンネル内に、対応する接地バスの挿入舌状片を導入でき、これにより保護プラグ内に設けた全てのサージアレスタと導電接続する。ハウジング内に設けた導電接点部材の一部は案内溝内に緩く配置されており、サージアレスタと接触する作用をする。ハウジング内に設けた側方接点部材の２個の部分は異なる設計とする。一方の導電接点部材は、Ｕ字状の設計とし、他方はＳ字状の設計とし、これら導電接点部材の角度をつけた両側の端部を平行に延在する案内溝内に収容する。導電接点部材のこれら２個の端部を、さらに開口前面の方向に直角に曲げて短絡リンクを形成する。休止位置においては、短絡リンクの端部が挿入チャンネルに掛合する。ハウジング内に設けた側方接点部材の一部は弾性的にプレストレスが与えられるため、これらは、サージアレスタを挿入した後にのみ案内溝内に圧入される。サージアレスタは、開口前面から保護プラグ内に挿入され、導電接点部材及びサージアレスタ間に嵌合した溶融性のペレットにおける一方の端子に弾性的に圧着する。他方の端子側では、サージアレスタは、対向当接部として、ハウジングの長手方向側面に設けた弾性係止フックにより保持され、結果として保護プラグのハウジング内に固定される。その後、接地バスの挿入舌状片が、サージアレスタを支持する係止フックを一方の側に圧迫し、サージアレスタの一方の端子との接続を確立し、その結果地接接続される。この既知の保護プラグは、構造が複雑であり、自動生産するのが困難であるという欠点がある。
【０００３】
従って、本発明は、公差が比較的大きな場合であっても、より一層構造が簡単であり、また接地バス及び保護プラグ間の信頼ある電気接続を確実なものとする接続又は分離ブロック用の保護プラグ及び接地バスを得るにある。
【０００４】
技術的な問題点は請求項１乃び８に記載した特徴を具える装置により解決する。従属項により本発明の更に有利な改良点が得られる。
【０００５】
この目的のために、接地バスの挿入舌状片を弾性的な構成とし、これに対し、保護プラグ内の対応する接地接点を保護プラグのハウジング内に機械的に剛固なものとして構成する。この場合、弾性的な挿入舌状片の幾何学的形状を接地接点の幾何学的形状と適合させる。保護プラグ内の接地接点の剛固な構成のために、保護プラグの製造における組立及び自動化が容易なものなり、同時に、接地接点を堅牢な部分として構成することができるため、大きな電流／サージ電流を接地接続することができ、また生産工学的な観点から簡単な幾何学的形状とすることができる。挿入舌状片を弾性的な設計とすることは、生産工学的な観点から簡単な方法により達成することができる。保護プラグの内部に何らの力も伝達することなく必要な接続力を生じる。発生した応力は主に接地バスの過酷な使用に耐える弾性材料に主に吸収される。
【０００６】
好ましい実施例においては、保護プラグの機能素子及び接地接点をプリント回路基板上に設けることにより、接地接点自体を保護プラグのハウジング内で支持する必要がなくなる。その結果、ハウジングの幾何学的形状を様々な寸法とすることや、又は保護プラグのハウジングに用いるプラスチックをエージング処理することにより、有効接続力に悪影響を与えることがなくなる。接地接点は、プリント回路基板の裏面に配置し、堅牢な接点として構成することが好ましい。
【０００７】
接地バスの対応する挿入舌状片は、弾性的にクランプし且つ側方から接地接点に接続するフォーク状の接点として設計するのが好ましい。
【０００８】
可能な限り良好な接続を得るために、挿入舌状片及び接地接点の幾何学的形状を互いに適合させる。好ましい例においては、接地接点を堅牢な、方体の小片として構成し、またフォーク状接点を接地接点との接点ポイントにおいて円弧のセグメントの形態で構成する。一方で、接地接点を球状又は円筒形状とする場合には、フォーク状接点の接点ポイントを平面状とする。
【０００９】
他の好ましい例においては、プリント回路基板用の付加的な支持表面をハウジング内に設けることにより、種々の長さの及び種々の構成部材を装着したプリント回路基板を同じ保護プラグハウジング内で用いることができる。
【００１０】
保護プラグのハウジングは、長手方向に２個の部分に分割し、これら２個の部分を互いに係止することが好ましい。長手方向に分割することにより、保護プラグが伸長されたり又は引張られた場合に力がハウジング部分の接続方向に作用しない。
【００１１】
第１ハウジング部分が、プリント回路基板の前面側に配置した機能素子をほぼ収容する比較的大きな設置領域を画成し、これに対し第２ハウジング部分が接地接点を収容するように、これらハウジング部分を分割するのがここでは好ましい。従って、接地バスの挿入舌状片用の挿入チャンネルも第２ハウジング部分内に設ける。ハウジング部分をこのように非対称に分割することにより接続又は分離ブロックにおける構成を極めてコンパクトにする効果があり、このため保護プラグのハウジングが隣接する接点のアクセス性を阻害しない。
【００１２】
他の好ましい例においては、少なくとも１個の測定又は分離ポイントを保護プラグのハウジング内に設けるが、これは、プリント回路基板の下側に設け、挿入部の反対側で外部からこの測定又は分離ポイントに接続できるようにすることが好ましい。それぞれの芯線を測定又は分離ポイントに割り当てるのが好ましいが、測定又は分離ポイントの双方ともテストプラグを通じて同時に結線することができる。
【００１３】
以下に本発明の好適な実施例をより詳細に説明する。
図１に示すのは、接続又は分離ブロック１と、取付槽２と、接地バス３と、保護プラグ４とを具えるシステムの分解説明図である。接続又は分離ブロック１は、２個のクランプ−係止素子５を具え、このクランプ−係止素子５は取付槽２の開口部６内に係止しており、それにより、開口部６の前方にある取付槽２の部分が、接続又は分離ブロック１の接地接点７に電気的に導通する。
【００１４】
接地バス３は、接続又は分離ブロック１の長手方向に平行に配置したビード（玉縁）９を有する基部８を具える。基部８には１０個の挿入舌状片１０を設け、この挿入舌状片１０は基部８の長手方向軸線にほぼ直交させて、互いに等間隔に配列する。挿入舌状片１０は、フォーク状の接点として弾性的に構成する。このフォーク状の接点については、図２を参照して後に詳細に説明する。さらに、接地バス３の側方に２個のＵ字状折曲部１１を設け、このＵ字状折曲部１１の下側脚部には、それぞれ、接続又は隔離ブロック１の接地接点７と電気的に接続することができる他のフォーク状接点１２を設ける。この結果、接地バス３は、接地接点７及び取付槽２を経て接地することができる。
【００１５】
例えばサージ保護素子を内部に設けた保護プラグ４は、２個のハウジング部分１３，１４を具え、このハウジング部分内には機能素子を有するプリント回路基板を設け、このプリント回路基板の一部をハウジングの外側に突出し挿入部１５を形成する。この挿入部１５は、接続又は分離ブロック１の接点（図示せず）内に挿入できる。この接点には、接続又は隔離ブロック１のそれぞれケーブル及びジャンパ側に２個の絶縁移動接点（insulation displacement contact ）に割り当てられる。挿入部１５をこの接点に挿入することにより、絶縁移動接点がプリント回路基板上の機能素子に電気的に接続される。挿入部１５の挿入により、掛合する挿入舌状片１０が同時に保護プラグ４の挿入チャンネル内に貫入し保護プラグ４内の接地接点に接続するが、このことについては図２を参照して後に説明する。この場合、保護プラグ４の接地接点の接続は、機能素子が絶縁移動接点と接続する前に起こるため、機能素子は常に確実に接地される。
【００１６】
図２に斜視的に示すのは、保護プラグ４を取付けた接地バス３の一部であり、接触動作をよりよく示すためにハウジング部分１４の一部を切除して示してある。フォーク状接点として構成した挿入舌状片１０は、下向きの湾曲部１６を有するため、ハウジング部分１４の上面は接地バス３の基部８とほぼ同一平面となって終端し、このことにより、隣接している接続又は分離ブロックにおける配線を阻害しない。さらに、挿入舌状片１０は上向きの湾曲部１７を有し、これにより挿入舌状片１０の弾性作用が増す。挿入舌状片１０の基部８から離れた側に、接点ポイント１８を設け、この接点ポイント１８が保護プラグ４内のプリント回路基板上の接地接点１９に電気的接触を生ずる。この接点ポイント１８は、内向きの円弧のセグメントの形態で形成する。挿入舌状片１０を保護プラグ４の挿入チャンネル内に挿入すると、２個の接点ポイント１８は、接地接点１９の平坦な側壁に弾性的に圧着し、その結果機械的及び電気的に安定な接触を生じ、接地接点１９はプリント回路基板上で機械的に剛固に締め付けられる。この実施例において、弾性的に設計した接点ポイント１８は、接地接点１９又はプリント回路基板２５又は保護プラグ４のハウジングの機械的公差を極めて容易に補償することができ、また信頼性の高い電気的接触を確実なものとする。図から明らかなように、接点ポイント１８及び接点接点１９の間の電気的接触の質は、これらの幾何学的形状を互いに適合するようにすることにより向上することができる。例えば、接地接点１９を直立した円筒状のピンとして構成した場合には、接点ポイント１８を平坦平面として構成するのが好ましい。
【００１７】
機械的安定性の理由から、比較的大きな設置空間を形成する第１のハウジング部分１３には、その側面及び後面にビード２０，２１を形成する。さらに、ハウジング部分１３は、開口部２２，２３を有し、これらの中に第２ハウジング部分１４の相補的な係止ラグを係止することができる。さらに、保護プラグ４の後面には、スリット２４があり、このスリット２４を通して測定又はテストプラグをプリント回路基板上の随意的な分離又は測定ポイントに結線することができる。
【００１８】
図３においては、第２ハウジング部分１４のない状態の保護プラグ４を示す。第１のハウジング部分１３の支持体上にプリント回路基板２５を休止させ、このプリント回路基板２５の下面側に、接地接点１９を機械的に堅固に設ける。この接地接点１９は、プリント回路基板２５を通る貫通孔に装着するか又は上側面のあるポイントの電気的なメッキ孔を経て、上側面に設けた例えばサージアレスタのような機能素子の接地リード線に電気的に接続する。第１のハウジング部分１３には位置固定部２６を構成し、この位置固定部２６をプリント回路基板２５に貫通させ、プリント回路基板２５をハウジング部分１３に対して固定する。
【００１９】
図４には、比較的長いプリント回路基板２５を示し、スリット２４を通して外側から結線することができる２個の分離接点２７をこのプリント回路基板２５上にさらに設ける。
【００２０】
図５において、第２ハウジング部分１４を有する図４の保護プラグ４を断面図で示す。保護プラグ４は、第１ハウジング部分１３と、第２ハウジング部分１４と、プリント回路基板２５とを具える。この実施例においては、プリント回路基板２５を第１ハウジング部分１３の支持表面２８上に休止させる。プリント回路基板２５の上側面に、サージアレスタ２９と、２個のＰＴＣサーミスタ３０と、２個のダイオード３１を設け、これらにより段階的保護装置を形成する。プリント回路基板２５の下側面には、接地接点１９と、２個の分離接点２７とを設ける。接地接点１９は、プリント回路基板２５を貫通し、かつサージアレスタ２９のセンタータップ３２と電気的に接続する。この接地接点１９は、開口部３３を通して外側からアクセスすることができる。分離接点２７を支持表面２８の領域においてプリント回路基板２５に確実に連結する、又は緊締する。後方に向けて、分離接点２７にクランク状のオフセット部を形成し、プリント回路基板２５の電気接点パッド３４を介してプリント回路基板２５の上側面の機能素子に電気的に導通する。この場合に分離接点２７は、機能素子の背面で電気的に導通しているため、分離接点２７はサージに対して保護される。第２ハウジング部分１４の端面には挿入チャンネル３５を設け、これを通じて接地バスの挿入舌状片を保護プラグ４に挿入することができる。プリント回路基板２５は複数の開口部を有し、これらを通じて第１ハウジング部分１３の位置固定部２６及び種々の係止手段３６を貫通させ、第２ハウジング部分１４との係止連結を形成する。プリント回路基板２５の、第１及び第２ハウジング部分１３及び１４から外側に突出している部分が、挿入部１５を形成する。図から明らかなように、全ての通電部分は、ハウジング部分１３及び１４により外部に対して絶縁されている。
【００２１】
図６及び７では、完全に組立てた状態の保護プラグ４の斜視図を示す。
【図面の簡単な説明】
【図１】  取付槽と、接地バスと、保護プラグとを具えた接続又は分離ブロックの分解図である。
【図２】  接触状態の保護プラグを具えた接地バスの一部を示す線図である。
【図３】  短いプリント回路基板を具え、第２ハウジング部分の無い状態の保護プラグの下方からの斜視図である。
【図４】  長いプリント回路基板と２個の分離接点とを具えた、第２ハウジング部分の無い状態の保護プラグの下方からの斜視図である。
【図５】  第２ハウジング部分を具えた図４の保護プラグの断面図である。
【図６】  完成した保護プラグの斜視図である。
【図７】  完成した保護プラグの下方からの斜視図である。
【図１】
0004605986.tif 000002
【図２】
0004605986.tif 000003
【図３】
0004605986.tif 000004
【図４】
0004605986.tif 000005
【図５】
0004605986.tif 000006
【図６】
0004605986.tif 000007
【図７】
0004605986.tif 000008